(57)【要約】  発光装置及び発光装置を動作させるための方法が開示される。発光装置の各々は、光源の各々が予め定められた色範囲の光を放射するように構成されている、ターゲットを照明するための複数の光源を有する。発光装置の各々は、発光装置により放射される光が予め定められたカラー特性の基準に益々対応するか準拠さえするように、発光装置により照明されるターゲットの領域又はターゲットの色に基づいて、発光装置により放射される光のスペクトルパワー分布を自動的に調整するための手段を有する。
2013513914.tif 000002
【特許請求の範囲】
【請求項１】
各光源が予め定められた色範囲の光を放射する、ターゲットを照明するための複数の光源を有する発光装置であって、ターゲットの照明された領域で反射される光を受信する少なくとも一つの光検出器と、ターゲットの照明された領域の主要な色を決定するために前記少なくとも一つの光検出器により生成される信号を処理し、主要な色と前記発光装置により放射される光の予め定められた色特性の基準とに基づいて、少なくとも一つの設定が前記複数の光源に適用されるとき、前記発光装置により放射される光が予め定められた色特性の前記基準に準拠するように、互いに相対的に前記複数の光源の強度の前記少なくとも一つの設定を生成する処理モジュールとを有する、発光装置。
【請求項２】
ターゲットの照明された領域を有する少なくとも一つの画像を捕捉する、前記少なくとも一つの光検出器と共に配される画像捕捉モジュールを更に有し、画像センサが各捕捉画像の画像表現を作り、前記処理モジュールが前記画像表現のターゲットの照明された領域の主要な色を決定するように前記画像表現を処理する、請求項１に記載の発光装置。
【請求項３】
前記処理モジュールが、決定された主要な色が含まれる色範囲の光を放射する何れの光源の強度も一定で、及び／又はゼロと異なるように保持するという制約の下、互いに相対的に前記複数の光源の強度の前記少なくとも一つの設定を生成する、請求項１又は２に記載の発光装置。
【請求項４】
前記少なくとも一つの設定が、前記複数の光源に適用されるとき、前記発光装置から放射される光が、決定された主要な色を呈する結果となるように、前記処理モジュールは前記少なくとも一つの設定を生成する、請求項３に記載の発光装置。
【請求項５】
少なくとも一つの発光ポインティングデバイスを更に有し、前記少なくとも一つの光検出器により受信されるターゲットの照明された領域で反射される少なくとも光の部分が前記発光ポインティングデバイスにより放射される、請求項１に記載の発光装置。
【請求項６】
前記複数の光源により放射される光又は前記発光ポインティングデバイスにより放射される光を変調し、前記少なくとも一つの光検出器に当たる光の変調を検出する光変調ユニットを更に有する、請求項５に記載の発光装置。
【請求項７】
各光源が予め定められた色範囲の光を放射する、ターゲットを照明するための複数の光源を有する発光装置であって、対象物が画像内の照明された領域に少なくとも部分的に重なるように、ターゲットの照明された領域と前記発光装置との間に配置されている所定形状を持つ前記対象物と、ターゲットの照明された領域とを有する少なくとも一つの画像を捕捉する画像捕捉モジュールであって、各捕捉画像の画像表現を作る画像センサを有する前記画像捕捉モジュールと、メモリモジュールと、前記対象物の所定形状を前記メモリモジュールに保存された少なくとも一つの形状と比較するように画像表現を処理し、前記所定形状が前記メモリモジュールに保存された形状と整合するという状況で、画像表現の前記対象物を縁どるターゲットの照明された領域の部分の色を決定するように画像表現を更に処理し、決定された色と前記発光装置により放射される光の予め定められた色特性の基準とに基づいて、少なくとも一つの設定が前記複数の光源に適用されるとき、前記発光装置により放射される光が予め定められた色特性の前記基準に準拠するように、互いに相対的に前記複数の光源の強度の前記少なくとも一つの設定を生成する処理モジュールとを有する、発光装置。
【請求項８】
前記処理モジュールは、決定された色が含まれる色範囲の光を放射するそれぞれの光源の強度が一定で、及び／又はゼロと異なるように保持するという制約の下で、互いに相対的に前記複数の光源の強度の前記少なくとも一つの設定を生成する、請求項７に記載の発光装置。
【請求項９】
前記処理モジュールは、前記少なくとも一つの設定が、前記複数の光源に適用されるとき、前記発光装置から放射される光が決定された色を呈する結果になるように前記少なくとも一つの設定を生成する、請求項８に記載の発光装置。
【請求項１０】
前記予め定められた色特性が、前記発光装置の演色、放射された光の色の色度、及び放射された光の色の色温度の一つ以上を有する、請求項１又は７に記載の発光装置。
【請求項１１】
生成された少なくとも一つの設定を前記複数の光源に適用する制御モジュールを更に有する、請求項１又は７に記載の発光装置。
【請求項１２】
各光源が予め定められた色範囲の光を放射する複数の光源を有する発光装置を動作させる方法であって、少なくとも一つの光検出器がターゲットの照明された領域で反射された光を受信するステップと、ターゲットの照明された領域の主要な色を決定するように前記少なくとも一つの光検出器により生成された信号を処理するステップと、主要な色と前記発光装置により放射される光の予め定められた色特性の基準とに基づいて、少なくとも一つの設定が複数の光源に適用されるとき、前記発光装置により放射される光が予め定められた色特性の前記基準に準拠するように、互いに相対的に前記複数の光源の強度の前記少なくとも一つの設定を生成するステップと、生成された少なくとも一つの設定を前記複数の光源に適用するステップとを有する、方法。
【請求項１３】
各光源が予め定められた色範囲の光を放射する複数の光源を有する発光装置を動作させる方法であって、対象物が画像の照明された領域に少なくとも部分的に重なるように、ターゲットの照明された領域と前記発光装置との間に配置されている、所定形状を持つ対象物と、ターゲットの照明された領域とを有する少なくとも一つの画像を捕捉し、各捕捉画像の画像表現を作るステップと、前記対象物の所定形状を少なくとも一つの保存された形状と比較するステップと、前記所定形状が、保存された形状と整合するという状況で、画像表現の前記対象物を縁どるターゲットの照明された領域の部分の色を決定するように画像表現を処理するステップと、決定された色と前記発光装置により放射される光の予め定められた色特性の基準とに基づいて、少なくとも一つの設定が複数の光源に適用されるとき、前記発光装置により放射される光が予め定められた色特性の前記基準に準拠するように、互いに相対的に複数の光源の強度の前記少なくとも一つの設定を生成するステップと、生成された少なくとも一つの設定を前記複数の光源に適用するステップとを有する、方法。
【請求項１４】
プロセッサユニットで実行されるとき、請求項１２又は１３による方法を実施するコンピュータプログラムが保存されたコンピュータ可読の記憶媒体。
【請求項１５】
請求項１又は７による発光装置を有する照明器具。
【発明の詳細な説明】
【技術分野】
【０００１】
本発明は、概して照明の分野に関する。特に、本発明は、各光源が予め定められた色範囲内の光を放射するように構成された、ターゲットを照明するための複数の光源を有する発光装置を動作させる方法及び当該発光装置に関する。
【背景技術】
【０００２】
光は、約４００ｎｍから約７００ｎｍの波長範囲内の様々な波長を持つ電磁波から成る。この範囲内の波長を持つ各電磁波は、約４００nmの波長の濃い青／紫から約７００nmの波長の濃い赤までの光の異なった色を呈する光を作る。異なる波長を持つ電磁波を「混合する」ことにより、様々な色を呈している光が作られる。
【０００３】
一般に各光源が他の光源と比較して異なる色を持つ光を放射できる多数の光源を有する発光装置は、様々な色を持つ光を提供するために利用される。例えば、異なる波長範囲の（すなわち、異なる色を呈する）光を放射する３つのＬＥＤを有する発光ダイオード（ＬＥＤ）装置は、色空間の三角形、例えばそれぞれのＬＥＤの３つのカラーポイントにより規定される色度図の範囲内で実質的に任意のカラーポイントを持つ光を提供するために利用できる。ＬＥＤの光束レベル（すなわちそれぞれのＬＥＤを通る電流）を適切に互いに相対的に調整することにより、異なるカラーポイント及び／又は光スペクトルを持つＬＥＤ装置から放射される光が達成できる。
【発明の概要】
【発明が解決しようとする課題】
【０００４】
放射される光の色を制御するために、従来の発光装置は、発光装置により放射される光の色をユーザが調整可能にするユーザインタフェースを持つコントローラを一般に具備する。斯様なユーザインタフェースは、比較的複雑及び／又はユーザのために直観的でないので、発光装置のオペレーションが比較的扱いにくく、及び／又は困難である。更にまた、ユーザがユーザインタフェースを介してユーザ入力によって、放射される光のカラーポイントを選択すると、ユーザは、一般的に、選択された設定によって作られる照明雰囲気が、発光装置により照明される対象物及び／又は人のタイプ及び／又は性質からみて適当かどうか判断をしなければならない。よって、ユーザが、発光装置により放射される光のカラーポイントを選択するためのような発光装置の設定を調整すると、ユーザは選択された設定が「ウィジウィグ（見ている通りの状態）」ベースの照明アプリケーションからみて適当かどうかを決定しなければならない。
【０００５】
本発明がなされたものは、上記の要件等に関してである。本発明は、一つ以上の上述の欠点及び不利な点を単独で又は組み合わせて緩和し、軽減し又は除去しようとする。特に、発明者は、原則として任意のカラーポイントを持つ光を放射できる発光装置を達成することが望ましいと認識した。発明者は、更に、発光装置により放射される光のカラーポイント及び／又はスペクトルパワー分布が、比較的少ないユーザ入力で、又は全くなしで制御できる、すなわち発光装置により実質的に自動的に制御できる、発光装置を達成することが望ましいことを認識した。これは、色温度、色度及び／又は演色のようなパラメータが、発光装置により放射される光により作られる照明雰囲気を、発光装置により照明される人及び／又は対象物のタイプ及び／又は性質に適応させるように、比較的少ないユーザ入力で、又は全くなしで制御できる、すなわち発光装置により実質的に自動的に制御できることを意味する。発光装置により放射される光のカラーポイントの制御により、本発明は、観察者により認められるように発光装置により照明される対象物の視覚的外観を強調するか又は抑制することを可能にする。
【課題を解決するための手段】
【０００６】
これらの懸念の一つ以上を良好に対処するために、独立請求項で規定されるような特徴を持つ方法及び発光装置が提供される。本発明の更に有利な実施例は、従属請求項に規定される。
【０００７】
本発明の第１の態様によると、ターゲットを照明するための複数の光源を有する発光装置が提供される。各光源は予め定められた色範囲の光を放射する。発光装置は、ターゲットの照明された領域で反射される光を受信する少なくとも一つの光検出器を有する。発光装置は、ターゲットの照明された領域の主要な色を決定するために前記少なくとも一つの光検出器により生成される信号を処理する処理モジュールを有する。主要な色と発光装置により放射される光の予め定められた色特性の基準とに基づいて、処理モジュールは、少なくとも一つの設定が複数の光源に適用されるとき、発光装置により放射される光が予め定められた色特性の前記基準に準拠するように、互いに相対的に複数の光源の強度の少なくとも一つの設定を生成する。
【０００８】
斯様な構成は、発光装置により放射される光のスペクトルパワー分布及び／又はカラーポイントが、比較的少ないユーザ入力で、又は全くなしで制御できる発光装置を提供する。換言すれば、発光装置により放射される光のスペクトルパワー分布及び／又はカラーポイントが、発光装置により実質的に自動的に制御される。次に、これは、比較的少ないユーザ入力で、又は全くなしで色温度、カラーポイント、色度及び／又は演色のような様々な照明パラメータの制御を可能にする。換言すれば、色温度、カラーポイント、色度及び／又は演色のような様々な照明パラメータの制御が、発光装置により放射される光により作られる照明雰囲気を、発光装置により照明される人及び／又は対象物のタイプ及び／又は性質に適応させるように、発光装置により実質的に自動的に実施される。
【０００９】
既に前述に示されるように、発光装置は、ほとんど又は全くユーザの介在なしで、発光装置により放射される光のスペクトルパワー分布の制御を可能にする。換言すれば、発光装置により放射される光のスペクトルパワー分布の制御を可能にする一方、ユーザインタフェースは必要とされない。斯様なアレンジメントは、幾つかのアプリケーション、特に小売のアプリケーションに対して有利である。小売業者は、一般に、商品又は物品を照明するため照明を制御するための制御装置を導入するのに気が進まない。また、劇場のアプリケーションのような他のアプリケーション、博物館、アートギャラリー等においては、発光装置により放射される光のスペクトルパワー分布の自動制御が有利である。
【００１０】
発光装置により放射される光のスペクトルパワー分布は、照明された対象物の一つ以上の予め定められた色が観察者／ユーザにより認識されるように視覚的に強調されるか又は気付かれないように、又は、発光装置により放射される光が、照明されている対象物に合う色温度を得るように、例えば調整されるか又は設定される。例えば、暖かい（すなわち、低い色温度）ライトが、くつろぎを促進するため公共エリアで使われる一方、よりクールな（高い色温度）ライトが、オフィス空間のスタッフの仕事能力を強化するために用いられる。
【００１１】
前述にて説明されたように、（放射される光の所望のカラーポイント及び／又はスペクトルパワー分布に結果としてなる）互いに相対的な複数の光源の強度の少なくとも一つの設定は、ターゲットの照明された領域の主要な色及び発光装置により放射される光の予め定められた色の特性の基準に基づいて生成される。前述にて示されるように、予め定められた色特性は、このように、放射される光の色の色温度を有する。代わりに、又はオプションで、予め定められた色特性は、とりわけ、発光装置の演色及び放射された光の色の色度を有する。
【００１２】
予め定められた色特性の選択は、例えば、発光装置に含まれる回路のディップスイッチ等を設定することにより、発光装置が取り付けられるときに選択され、ディップスイッチは予め定められた色特性を選択するように操作される。代わりに、又はオプションで、プログラム可能なチップが、予め定められた色特性の選択を選択可能にするために使用されてもよい。代わりに、又はオプションで、予め定められた色特性の選択が、動的に、すなわち発光装置のオペレーションの間、実施されてもよく、よって、放射された光から生じる異なる照明状況及び／又は所望の照明効果に適応可能にしてもよい。
【００１３】
よって、発光装置のスペクトルパワー分布は、発光装置の前に選択され、予め定められたカラー特性、すなわち発光装置から出力される光を特徴づけるパラメータに基づいて相対的に互いに複数の光源の強度を調整することにより達成される。このパラメータは、例えばターゲット上の特定の色を視覚的に強調するために、又は、観察者により認められるターゲットの比較的忠実なカラー描写を達成するために選択される。
【００１４】
例えば、各光源が光のスペクトルの異なった部分の光を放射している、複数の光源を有する発光装置によって、特定されたカラーポイントを持つ白色又は実質的に白色の光が作られ、スペクトルパワー分布は、ターゲット上の異なる色を視覚的に強調するように選択できる（特定されたカラーポイントが相対的に互いに複数の光源の強度を調整することにより幾つかの態様で設定できるので）。
【００１５】
換言すれば、発光装置により放射される光が予め定められたカラー特性の基準に益々対応する又は準拠さえするように、発光装置により照明されるターゲットの領域又はターゲットのカラーに基づいて発光装置により放射される光のスペクトルパワー分布を調整することにより、結果として、照明されたターゲットのカラー特性の基準が達成できる。
【００１６】
前述にて説明されたように、互いに相対的に複数の光源の強度の生成される少なくとも一つの設定は、前記少なくとも一つの設定が複数の光源照明に適用されるとき、発光装置により放射される光が、予め定められた色特性の基準に益々対応する又は準拠さえするように設定される。換言すれば、少なくとも一つの設定が複数の光源に適用されるとき、発光装置は、予め定められた色特性に関して「最適化されている」。よって、少なくとも一つの設定が複数の光源に適用されると、発光装置により放射される光は、依然予め定められた色特性の基準に益々対応する又は準拠さえする一方で、当該基準を満たしても又は満たしていなくてもよく、すなわち互いに相対的に複数の光源の強度の他の設定が複数の光源に適用されるときと比較して、一般により大きな程度まで当該基準に準拠している。
【００１７】
本発明の第２の態様によると、ターゲットを照明するための複数の光源を有する発光装置が提供される。各光源は、予め定められた色範囲の光を放射する。発光装置は、対象物が画像内の照明された領域に少なくとも部分的に重なるように、ターゲットの照明された領域と前記発光装置との間に配置されている前記対象物であって、所定形状を持つ前記対象物及びターゲットの照明された領域を有する少なくとも一つの画像を捕捉する画像捕捉モジュールを有する。画像捕捉モジュールは、各捕捉画像の画像表現を作る画像センサを有する。発光装置は、メモリモジュールを有する。発光装置は、前記対象物の所定形状を前記メモリモジュールに保存された少なくとも一つの形状と比較するように画像表現を処理する処理モジュールを有する。処理モジュールは、前記所定形状が前記メモリモジュールに保存された形状と整合するという状況で、画像表現の前記対象物を縁どるターゲットの照明された領域の部分の色を決定するように画像表現を処理する。処理モジュールは、決定された色と前記発光装置により放射される光の予め定められた色特性の基準とに基づいて、少なくとも一つの設定が複数の光源に適用されるとき、前記発光装置により放射される光が予め定められた色特性の前記基準に準拠するように、互いに相対的に複数の光源の強度の前記少なくとも一つの設定を生成する。
【００１８】
斯様な構成は、本発明の第１の態様による発光装置によって達成される利点の一部又は全てを達成可能にする。加えて、本発明の第２の態様による構成は、視覚的に強調するか又は目立たないようにすることを所望されるターゲットの色が前述において説明されたように、自動的に検出するのが困難である場合、有利である。例えば、ターゲットが比較的小さく及び／又は発光装置から比較的長い距離にある場合、撮影画像の画像表現内のターゲットの色は画像表現内の主要な色ではない。このような場合、本発明の第２の態様による発光装置は、所定の期間色の強調を所望されるターゲットの領域又はターゲットの前に特定の対象物若しくはポインタ装置をユーザがホールド可能にし、発光装置は、ポインタ装置の形状によりポインタ装置として対象物を認識するために、対象物の形状を保存された対象物形状と自動的に比較し、その後、対象物がポインタ装置と認識された場合、発光装置は、画像表現内の対象物（ポインタ装置）を縁どるターゲットの照明された領域の部分の色を決定する。その後、決定された色は、前述されたように、互いに相対的に複数の光源の強度の少なくとも一つの設定を生成する際に使われる。このように、所定形状を持つ対象物は、発光装置により色が決定されるべきターゲットの領域又はターゲットを指し示すためのポインタ装置として機能する。
【００１９】
このように、本発明の第１及び第２の態様両方は、発光装置により放射される光が、予め定められたカラー特性の基準に益々対応する又は準拠さえするように、発光装置により照明されるターゲットの領域又はターゲットの色に基づいて発光装置により放射される光のスペクトルパワー分布を自動的に調整できる発光装置を達成するための手段を供給する。上述の色は、（本発明の第１の態様に従って）ターゲットの照明された領域で反射される光を受信するのに適している少なくとも一つの光検出器により生成される処理信号により、ターゲットの照明された領域の主要な色として、又は画像表現内の発光装置により認識される所定形状（ポインタ装置）を持つ対象物を縁どるターゲットの照明された領域の部分の色として、決定される。
【００２０】
第３の本発明の態様によると、少なくとも一つの光検出器がターゲットの照明された領域で反射された光を受信し、各光源が予め定められた色範囲の光を放射する複数の光源を有する発光装置を動作させる方法が提供される。少なくとも一つの光検出器により生成された信号は、ターゲットの照明された領域の主要な色を決定するように処理される。主要な色と前記発光装置により放射される光の予め定められた色特性の基準とに基づいて、少なくとも一つの設定が複数の光源に適用されるとき、前記発光装置により放射される光が予め定められた色特性の前記基準に準拠するように、互いに相対的に前記複数の光源の強度の少なくとも一つの設定が生成される。生成された少なくとも一つの設定は、複数の光源に適用される。
【００２１】
本発明の第３の態様による方法により、本発明の第１の態様に従って発光装置により達成される利点と同じ又は同様の利点が達成される。
【００２２】
第４の本発明の態様によると、各光源が予め定められた色範囲の光を放射する複数の光源を有する発光装置を動作させる方法が提供される。当該方法は、対象物が画像の照明された領域に少なくとも部分的に重なるように、ターゲットの照明された領域と前記発光装置との間に配置されている前記対象物であって、所定形状を持つ前記対象物及びターゲットの照明された領域を有する少なくとも一つの画像を捕捉し、各捕捉画像の画像表現を作るステップを有する。対象物の所定形状は、少なくとも一つの保存された形状と比較される。所定形状がメモリモジュールに保存された形状と整合するという状況で、画像表現の前記対象物を縁どるターゲットの照明された領域の部分の色を決定するように画像表現が処理される。決定された色と前記発光装置により放射される光の予め定められた色特性の基準とに基づいて、少なくとも一つの設定が複数の光源に適用されるとき、前記発光装置により放射される光が予め定められた色特性の基準に準拠するように、互いに相対的に複数の光源の強度の少なくとも一つの設定が生成される。当該方法は、生成された少なくとも一つの設定を前記複数の光源に適用するステップを有する。
【００２３】
本発明の第４の態様による方法により、本発明の第２の態様による発光装置により達成される利点と同じ又は同様の利点が達成される。
【００２４】
本発明の第５の態様によると、プロセッサユニットで実行されるとき、本発明の第３若しくは第４の態様又はこれらの実施例による方法を実施するコンピュータプログラムが保存されたコンピュータ可読の記憶媒体が提供される。
【００２５】
本発明の第６の態様によると、プロセッサユニットで実行されるとき、本発明の第３又は第４の態様又はその任意の実施例による方法を実施するのに適したコンピュータプログラムが格納されるコンピュータ可読の記憶媒体が提供される。
【００２６】
本発明の第７の態様によると、本発明の第１又は第２の態様又はその任意の実施例による発光装置を有する照明器具が提供される。
【００２７】
発光装置は、ターゲットの照明された領域を少なくとも一つの光検出器へ投影するのに適した光アセンブリを有する。
【００２８】
代わりに、又はオプションで、少なくとも一つの光検出器は、発光装置により放射される光のビームが、少なくとも一つの光検出器に当たる光のビームと実質的に一致するように向けられている。
【００２９】
少なくとも一つの光検出器のスペクトル感度は、例えば、少なくとも３つの異なった波長領域（例えば光のスペクトルの少なくとも青、緑及び赤い部分）を含む。
【００３０】
少なくとも一つの光検出器は、例えば、画像捕捉モジュールに含まれる画像センサに含まれる。換言すれば、発光装置は、少なくとも一つの光検出器を持って配される画像捕捉モジュールを有する。画像捕捉モジュールは、ターゲットの照明された領域を有する少なくとも一つの画像を捕捉するのに適し、ここで、画像センサは各捕捉された画像の画像表現を作るのに適し、処理モジュールは画像表現のターゲットの照明された領域の主要な色を決定するために画像表現を処理するのに適している。
【００３１】
画像センサのスペクトル感度は、例えば、少なくとも３つの異なった波長領域（例えば光のスペクトルの少なくとも青、緑及び赤い部分）を含む。
【００３２】
主要な色は、例えば、発光装置が実質的に白色の光を放射するのに適するとき、例えば画像センサと関連した視野の最も多くの色（すなわち、画像表現に存在する他の色と比較して画像表現に大きな程度まで存在する色）である。主要な色は、画像センサと関連した視野に現れている色の平均的色、すなわち画像表現の平均的色である。画像表現の主要な色は、代わりの又は任意の態様で決定されてもよい。これは、更に以下に説明される。
【００３３】
既に前述において示されたように、画像捕捉モジュールは、照明された領域のカラー情報が画像センサにより作られる各捕捉画像の画像表現から推論できるように、少なくとも照明されているターゲットの照明された領域を撮像するのに適している。本発明の幾つかの実施例の状況において、「画像」又は「捕捉画像」は必ずしも光画像というわけではなく、画像センサ上の異なる位置に当たる光の色を示す一組の値を指してもよい。換言すれば、画像センサは、照明されているターゲットの照明された領域の色を検出するのに適している。
【００３４】
各捕捉画像の画像表現を作るのに適している画像センサは、例えばカメラ及び／又はカラーセンサ等を有する。カラーセンサは、例えば、フォトダイオード又はフォト抵抗のような一つ以上の光検出器と、一つ以上のそれぞれのカラーフィルタと、電荷結合素子（ＣＣＤ）及び／又は相補的ＭＯＳ活性ピクセルセンサと、それぞれのカラーフィルタアレイとにより構成される。
【００３５】
画像捕捉モジュールは、例えばターゲットの照明された領域を有する画像を画像センサに投影するのに適した光アセンブリを有する。これは、画像センサが単一のカラーセンサ素子（例えば単一のピクセルを有する「カメラ」）により構成される場合に、特に有利である。
【００３６】
代わりに、又はオプションで、画像捕捉モジュールは、発光装置により放射される光のビームが画像センサに当たる光のビームと実質的に一致するように向けられている。
【００３７】
互いに相対的に複数の光源の強度の少なくとも一つの設定は、画像表現の主要な色である決定された色が含まれる色範囲内の光を放射する任意の光源の強度を一定で、及び／又はゼロではなく維持するという制約の下で生成される。
【００３８】
換言すれば、一つ以上の光源は、例えばユーザインタフェースを介してユーザ入力により選択され、その光源又はこれらの光源の光強度がある値に固定され、その後処理モジュールは、選択された一つ以上光源の強度を固定値に保ちながら、互いに相対的に複数の光源の強度の少なくとも一つの設定を生成する。
【００３９】
斯様な構成は、発光装置からの光により照明される特定の色を持つターゲット又はターゲットの領域を益々視覚的に強調するか又は強化可能にする。これは、以下の例に関連して更に説明されている。
【００４０】
１つの例によると、明色又は実質的に白色の色を持つ光がターゲット又はターゲットの領域を照明するために使われるように、発光装置が、黒体軌跡（ＢＢＬ）の近くにあるカラーポイントを持つ光を放射するように、発光装置は構成された。ターゲット又はターゲットの領域は、一般に、ターゲット又はターゲットの領域を照明している光の色と異なる特定の色を持つ。互いに相対的に光源の強度の少なくとも一つの設定を生成する一方、ターゲット又はターゲットの領域の色のカラーポイントに近いか等しいカラーポイントを持つ光を放射する選択された光源の強度は、固定値に保たれる。換言すれば、少なくとも一つの設定は、発光装置の光が異なるカラーポイントを持つ光の混合であるように生成され、光の混合は、ターゲット又はターゲットの領域の色のカラーポイントに近いか等しいカラーポイントを持つある割合の光を含む（例えば、赤い色を持つターゲット又はターゲットの領域を照明するために使用される白色の光は、赤に近いか等しいカラーポイントを持つ割合の光で混合される）。結果として、光の混合は、ターゲット又はターゲットの領域を益々視覚的に強調するか又は強化する。
【００４１】
本発明の幾つかの実施例の状況において、黒体の温度が変化するにつれて、白熱の黒体の色が特定の色度空間において（例えば、色度図において）採る経路又は軌跡が、ＢＢＬ（別名プランク軌跡又は白色のライン）により意図される。
【００４２】
複数の光源の強度の少なくとも一つの設定は、複数の光源に適用されるとき、発光装置から放射される光が主要な色である、決定された色を呈するという結果に少なくとも一つの設定がなるように、生成される。
【００４３】
このように、決定された色に基づいて発光装置により放射される光のカラーポイントの自動制御が供給される。
【００４４】
発光装置は、複数の光源の強度の少なくとも一つの設定を保存するのに適しているメモリモジュールを有する。メモリモジュールに保存される少なくとも一つの設定の一つ以上が取り出されてもよい。
【００４５】
このとき、メモリモジュールに保存される一つ以上の取り出された設定が、複数の光源に適用される。
【００４６】
斯様な構成は、複数の光源の強度の設定のプリセットを保存可能であり、プリセットは必要とされるとき後で呼び戻すことができる。
【００４７】
メモリユニットから取り出される生成された少なくとも一つの設定を複数の光源に適用するために、発光装置は、この目的のために動作可能な制御モジュールを有する。制御モジュールは、例えば、時間的に異なるポイントで複数の光源の強度の異なる設定を適用するようにプログラムされる。換言すれば、制御モジュールは、複数の光源のためのドライバとして動作する。例えば、異なる設定は、異なる設定の各々が、複数の光源に適用されるとき、結果的に、発光装置により放射される光が同じカラーポイントを呈するように設定される。このように、同じカラーポイントを持つが、異なる照明雰囲気を供給する光は、時間の異なるポイントで、例えば、前述にて説明されたように、異なる色を持つターゲット又はターゲットの領域を視覚的に示すために供給される。
【００４８】
発光装置は、発光ポインティングデバイスを有し、少なくとも一つの光検出器により受信されるターゲットの照明された領域で反射された少なくとも一部の光は、発光ポインティングデバイスにより放射されている。
【００４９】
斯様な構成は、例えば、発光ポインティングデバイスを操作しているユーザにより、ターゲットの照明された領域の一部又は全体を指し示すことを可能にし、その後、照明された領域の一部又は全体の主要な色を決定する。発光ポインティングデバイスは、例えばビームの幅に関して、発光ポインティングデバイスにより放射される光のビームが調節可能であるように構成されている。主要な色が決定されるターゲットの特定のスポット又は領域を指定することが、視覚的に強調するか又は見えなくすることを所望されるターゲットの（例えばスポットの）色が前述にて説明されたように自動的に検出するのが困難で、例えば前述にて説明されたように、ターゲットが比較的小さい及び／又は発光装置から比較的長い距離に位置している場合に、有利である。
【００５０】
発光装置は、多くの発光ポインティングデバイスを有してもよい。
【００５１】
発光装置は、複数の光源により放射される光を変調するか、又は発光ポインティングデバイスにより放射される光を変調し、少なくとも一つの光検出器に当たる光の変調を検出するように構成されている光変調ユニットを有する。
【００５２】
少なくとも一つの光検出器に当たる光の変調の検出が、少なくとも一つの光検出器に当たる光の前に、実施される。
【００５３】
斯様な構成は、複数の光源により放射される光と発光ポインティングデバイスにより放射される光との間のいわゆる「クロストーク」を回避可能にする。換言すれば、斯様な構成により、発光ポインティングデバイスにより放射される光（又は、複数の光源により放射される光）が変調でき（換言すれば、「符号化」でき）、よって、照明されたターゲット又はターゲットの領域から反射される照明が発光ポインティングデバイスから生じたのか、又は複数の光源から生じたのかについて少なくとも一つの光検出器で（少なくとも一つの光検出器に当たる光が変調されているか又は変調されていないかを検出する光変調ユニットによって）決定可能にする。例えば、複数の光源により放射される光が変調されない一方、発光ポインティングデバイスにより放射される光が予め定められた光変調スキームに従って変調され、その後発光ポインティングデバイスからの変調された光が照明されたターゲットの一部で反射される場合、少なくとも一つの光検出器は、複数の光源から生じた少なくとも一つの光検出器に当たる光と、発光ポインティングデバイスから生じた少なくとも一つの光検出器に当たる光とを区別可能である。
【００５４】
複数の光源は、好ましくは、発光ダイオード（ＬＥＤ）のような複数のソリッドステート光源を有する。斯様なＬＥＤは、無機又は有機である。複数の光源は、代わりに、又はオプションで、一つ以上のカラー蛍光灯（ＣＦＬ）を有してもよい。
【００５５】
本願に開示される何れの方法のステップも、明確に述べられない限り、開示された正確な順番に実施される必要はない。
【００５６】
本発明は、請求項で引用された特徴の全ての可能な組合せに関する。
【００５７】
本発明の様々な実施例の更なる目的及び利点は、実施例を例証することによって以下に説明されるだろう。
【００５８】
本発明の例示的実施例が、添付の図面を参照して以下に説明されるだろう。
【図面の簡単な説明】
【００５９】
【図１Ａ】図１Ａは、本発明の例示的実施例による発光装置の模式的なブロック図である。
【図１Ｂ】図１Ｂは、本発明の他の例示的実施例による発光装置の模式的なブロック図である。
【図２】図２は、本発明の他の例示的実施例による発光装置の模式的なブロック図である。
【図３】図３は、本発明の他の例示的実施例による発光装置の模式的なブロック図である。
【図４Ａ】図４Ａは、本発明の例示的実施例による発光装置を動作させる方法の模式的フロー図である。
【図４Ｂ】図４Ｂは、本発明の他の例示的実施例による発光装置を動作させる方法の模式的フロー図である。
【図５】図５は、本発明の他の例示的実施例による発光装置を動作させる方法の模式的フロー図である。
【図６】図６は、本発明の例示的実施例による照明器具の模式的なブロック図である。
【図７】図７は、本発明の実施例によるコンピュータ可読の記憶媒体の種々異なる例示的タイプの模式図である。
【発明を実施するための形態】
【００６０】
添付図面において、同一参照番号は、図面全体にわたって同じ又は同様の要素を示す。
【００６１】
本発明は、本発明の例示的実施例が示される添付の図面を参照して以下に充分に説明されるだろう。しかしながら、本発明は、多くの異なる形式で実施されてもよく、ここで説明される実施例に限定されるとは解釈されず、むしろ、これらの実施例は例証として提供されるので、この開示は当業者に本発明の範囲を伝えるだろう。更にまた、類似の数字は、全体を通じて同類又は同様の要素を指す。
【００６２】
ここで図１Ａを参照すると、本発明の例示的実施例による発光装置１００の模式的ブロック図が示されている。発光装置１００は、ターゲット１２０を照明するための１１２Ａ、１１２Ｂ．．．１１２Ｆの複数の光源１１０を有する。光源１１２Ａ、１１２Ｂ．．．１１２Ｆの各々は、予め定められた色範囲内の光を放射するように構成されている。発光装置１００は、ターゲット１２０の照明された領域を有する少なくとも一つの画像を捕捉するのに適している画像捕捉モジュール１３０を有する。画像捕捉モジュール１３０は、各捕捉画像の画像表現を作るのに適している画像センサ１３２を有する。処理モジュール１４０は、画像表現内の主要な色を決定するために各画像表現を処理するのに適している。決定された主要な色と、発光装置１００により放射された光の予め定められた色特性の基準とに基づいて、処理モジュール１４０は、互いに相対的に１１２Ａ、１１２Ｂ．．．１１２Ｆの複数の光源１１０の強度の少なくとも１つの設定を生成するのに適していて、少なくとも一つの設定は、１１２Ａ、１１２Ｂ．．．１１２Ｆの複数の光源１１０に適用されるとき、発光装置１００により放射される光が、予め定められた色特性の基準と益々対応するか準拠さえするように設定される。
【００６３】
画像捕捉モジュール１３０は、ターゲット１２０の照明された領域を有する画像を画像センサ１３２に投影するのに適した光アセンブリ１３４を有する。
【００６４】
光アセンブリ１３４は、オプションであり、光が画像センサ１３２に直接当たる構成は、本発明の範囲内である。
【００６５】
図１Ａを更に参照すると、発光装置１００は、１１２Ａ、１１２Ｂ．．．１１２Ｆの複数の光源１１０の強度の少なくとも一つの設定を保存するのに適しているメモリモジュール１６０を有する。メモリモジュール１６０に保存される少なくとも一つの設定の一つ以上は、例えば処理ユニット１４０又は制御モジュール（図１Ａには示されていないが図２を参照）により取り出され、その後１１２Ａ、１１２Ｂ．．．１１２Ｆの複数の光源１１０に適用される。よって、１１２Ａ、１１２Ｂ．．．１１２Ｆの複数の光源１１０の強度の設定のプリセットが、メモリモジュール１６０に保存され、当該プリセットは、必要なときに、後で呼び戻される。
【００６６】
添付図面に示された実施例の光源１１２Ａ、１１２Ｂ．．．１１２Ｆの数が６であるが、本発明は、この数に限定されず、発光装置１００は、原則として任意の数の光源１１２Ａ、１１２Ｂ．．．１１２Ｆを有してもよい。１つの例によると、発光装置１００は少なくとも３つの光源を有し、各光源は、ＲＧＢカラーモデルに適合させるため光のスペクトルの異なった部分の光を放射する。
【００６７】
画像センサ１３２は、例えば電荷結合素子（ＣＣＤ）を有する。ＣＣＤは従来から知られていて、よって、ＣＣＤの動作は以下に簡潔に説明されるだけである。通常はＣＣＤベースの画像捕捉モジュール又は装置は、通常、開口部（図１Ａに示されない）を含み、当該開口部を通って捕捉された画像からの光がＣＣＤにより送信され感知される。一般にＣＣＤは、少なくとも一つのセンサ素子（図１Ａに示されない）を有する。ＣＣＤの各センサ素子は、センサ素子に当たる光の強度を感知する。各センサ素子により感知される強度の値は、後続の画像処理のためにメモリ等に保存される。ＣＣＤのセンサ要素により感知される強度は、白黒画像に対するグレイスケール値に対応する。色感知機能を達成するために、ＣＣＤベースの画像捕捉モジュールは、ＣＣＤベースの画像捕捉モジュールの開口部とＣＣＤとの間に配置されるカラーフィルタアレイ（ＣＦＡ）又は色分解メカニズム（図１Ａに示されない）を有する。ＣＦＡは、例えば、ＣＣＤのセンサ素子と１対１に対応する少なくとも一つのカラーフィルタ要素（図１Ａに示されない）により構成される。各フィルタ要素は、一般に、異なった波長範囲の波長を持つ光だけがフィルタ要素を通過可能にする。この光は、その後、ＣＣＤのセンサ素子に当たり、センサ素子はセンサ素子上の着色した光の強度を感知する。ＣＣＤの各センサ素子がカラーフィルタ要素に対応するので、ＣＣＤのセンサ素子から取り出されたデータは、センサ素子に当たる光の色の指標及び強度値を有する。
【００６８】
ここで図１Ｂを参照すると、本発明の他の例示的実施例による発光装置１００の模式的ブロック図が示されている。発光装置１００は、ターゲット１２０を照射するための１１２Ａ、１１２Ｂ．．．１１２Ｆの複数の光源１１０を有する。発光装置１００は、ターゲット１２０の照明された領域で反射される光を受信するのに適している少なくとも一つの光検出器１２５を有する光検出器モジュール１２２を有する。発光装置１００は、ターゲット１２０の照明された領域の主要な色を決定するためのような少なくとも一つの光検出器１２５により生成される信号を処理するのに適している処理モジュール１４０を有する。発光装置１００により放射される光の予め定められた色特性の基準と決定された主要な色とに基づいて、処理モジュール１４０は、生成された少なくとも一つの設定が１１２Ａ、１１２Ｂ．．．１１２Ｆの複数の光源１１０に適用されるとき、発光装置１００により放射される光が、予め定められた色特性の基準に益々対応するか準拠さえするように、互いに相対的に１１２Ａ、１１２Ｂ．．．１１２Ｆの複数の光源１１０の強度の少なくとも１つの設定を生成するのに適している。
【００６９】
図１Ｂを更に参照すると、発光装置１００は、発光ポインティングデバイス１５０を有する。少なくとも一つの光検出器１２５により受信されるターゲット１２０の照明された領域で反射される光の少なくとも一部は、発光ポインティングデバイス１５０により放射された。発光装置１００は、１１２Ａ、１１２Ｂ．．．１１２Ｆの複数の光源１１０により放射される光又は発光ポインティングデバイス１５０により放射される光を変調し、光検出器１２５に当たるその光の前に光の変調を検出するように構成される光変調ユニット１７０を有する。発光ポインティングデバイス１５０及び／又は光変調ユニット１７０により、前述された利点が達成される。
【００７０】
発光ポインティングデバイス１５０及び光変調ユニット１７０両方ともオプションである。更にまた、発光ポインティングデバイス１５０及び／又は光変調ユニット１７０は、代わりに、発光装置１００の外に配置できる。
【００７１】
図１Ｂに開示される残りの部品は、図１Ａに関して説明された部品と同様であるか又は同一である。従って、図１Ｂに関して、これらの詳細は省略される。
【００７２】
ここで図２を参照すると、本発明の他の例示的実施例による発光装置２００の模式的ブロック図が示される。発光装置２００は、ターゲット２２０を照射するための２１２Ａ、２１２Ｂ．．．２１２Ｆの複数の光源２１０を有する。光源２１２Ａ、２１２Ｂ．．．２１２Ｆの各々は、予め定められた色範囲の光を放射するように構成される。発光装置２００は、所定形状を持つ対象物２３８及びターゲット２２０の照明された領域を有する少なくとも一つの画像を捕捉するのに適している画像捕捉モジュール２３０を有し、対象物は、対象物が画像内の照明された領域に少なくとも部分的に重なるようにターゲットの照明された領域と発光装置との間に配置されている。画像捕捉モジュール２３０は、各捕捉画像の画像表現を作るのに適している画像センサ２３２を有する。画像センサ２３２は、例えば、図１Ａを参照して説明された画像センサ１３２と同様のＣＣＤを有する。発光装置２００は、メモリモジュール２６０及び制御モジュール２５０（オプションで）を更に有する。処理モジュール２４０は、対象物２３８の所定形状をメモリモジュール２６０に保存された少なくとも一つの形状と比較するためのような各画像表現を処理するのに適している。対象物２３８の所定形状がメモリモジュール２６０に保存された形状と整合するという状況で、処理モジュール２４０は、画像表現内の対象物２３８を縁どるターゲット２２０の照明された領域の一部の色を決定するためのような画像表現を処理する。発光装置２００により放射される光の予め定められた色特性の基準と決定された主要な色とに基づいて、処理モジュール２４０は、生成された少なくとも一つの設定が２１２Ａ、２１２Ｂ．．．２１２Ｆの複数の光源２１０に適用されるとき、発光装置２００により放射される光が、予め定められた色特性の基準に益々対応するか準拠さえするように、互いに相対的に２１２Ａ、２１２Ｂ．．．２１２Ｆの複数の光源２１０の強度の少なくとも１つの設定を生成するのに適している。制御モジュール２５０は、生成された少なくとも一つの設定を２１２Ａ、２１２Ｂ．．．２１２Ｆの複数の光源２１０に適用するのに適している。代わりに、処理モジュール２４０自体が、生成された少なくとも一つの設定を２１２Ａ、２１２Ｂ．．．２１２Ｆの複数の光源２１０に適用するのに適している（図１Ａ及びそれに関する記述を参照）。
【００７３】
図１Ａを参照して既に前述されているように、処理モジュール１４０は、画像表現の主要な色を決定するために各画像表現を処理するのに適している。決定されるべき主要な色は、画像表現内のターゲットの照明された領域の主要な色である。
【００７４】
主要な色は、例えば、発光装置が実質的に白色の光を放射するのに適するとき、例えば画像センサと関連した視野の最も多くの色（すなわち、画像表現に存在する他の色と比較して画像表現に大きな程度まで存在する色）である。代わりに、又はオプションで、主要な色は、画像センサと関連した視野に現れている色の平均的色、すなわち画像表現の平均的色として決定されてもよい。
【００７５】
代わりに、又はオプションで、主要な色は、以下にて説明されるように、発光装置１００により実施されるカラーシーケンシャル走査により決定されてもよい。処理ユニット１４０は、光のスペクトルに関してシーケンシャルな色を持つ光が順次ターゲット１２０に当たるように、それぞれの所定の期間、光を放射するために２１２Ａ、２１２Ｂ．．．２１２Ｆの複数の光源２１０を制御するように設定される。例えば、画像センサ１３２により感知されるようなターゲット１２０に最も強い反射を呈する色は、主要な色として採られる（画像捕捉モジュール１３０の全視野の平均的反射又は画像捕捉モジュール１３０の視野の選択された一部の反射が考慮される）。
【００７６】
例えば、ＲＧＢ構成の３つの光源を使用しているシーケンシャル走査の間、光源は、最初に第１の色の光だけを放射し、その後第２の色の光だけを放射し、最後に第３の色の光だけを放射するように制御される。光源は、更に他の色の光を放射するために制御されてもよい。
【００７７】
代わりに、又はオプションで、ターゲットの小さな領域がユーザにより割り当てられ、その後その領域の（平均）色が主要な色として採られてもよい。「小さな領域」とは、領域が発光装置により放射される光のビームと比較して小さいことを意味する。
【００７８】
小さな領域は、種々異なる態様で選択される。
【００７９】
１つの例によると、画像捕捉モジュールが前述のように単一のカラーセンサ（例えば「単一のピクセル」カメラ装置）を有する場合、小さな領域が、実質的に画像捕捉モジュールの視野として選択される（この場合、視野は、比較的小さく、一般に発光装置により照明されるターゲットの領域より小さい）。
【００８０】
他の例によると、発光装置は、画像の所望の領域をユーザが選択可能にするユーザインタフェース（図１Ａに示されない）を有する。この目的のために、ユーザインタフェースは、ユーザに画像を（視覚的に）示すのに適している。
【００８１】
図１Ａ及び／又は図２を更に参照して、既に前述されたように、互いに相対的に複数の光源の強度の少なくとも一つの設定が生成され、少なくとも一つの設定は、複数の光源に適用されるとき、発光装置により放射される光が予め定められた色特性の基準に益々対応するか準拠さえするように設定される。少なくとも一つの設定は、例えば、発光装置により放射される光が、予め定められたか又はユーザ規定のカラーポイントを呈し、主要な色の最大の寄与又は主要な色の最小の寄与の何れかを呈するように生成される。特定の色度（カラーポイント）に対して、少なくとも一つの設定は、複数の光源に適用されるとき、少なくとも一つの設定が、結果的に予め定められた値でＣＲＩを保持するスペクトルパワー分布となり、同時に特定の色範囲に対する色の比較的大きな又は最大の彩度に結果としてなるように、生成される。
【００８２】
ここで図３を参照すると、本発明の他の例示的実施例による発光装置３００の模式的ブロック図が示される。発光装置３００は、ターゲット３２０を照射するための３１２Ａ、３１２Ｂ．．．３１２Ｆの複数の光源３１０を有する。発光装置３００は、ターゲット３２０の照明された領域を有する少なくとも一つの画像を捕捉するのに適している画像捕捉モジュール３３０を有する。画像捕捉モジュール３３０は、各捕捉画像の画像表現を作るのに適している画像センサ３３２を有する。図３に開示された部品は、図１Ａを参照して説明された部品と同様であるか同一である。従って、図３に関してこれらの部品の説明は省略される。しかしながら、図１Ａを参照して説明された発光装置１００とは対照的に、発光装置３００は、内部処理モジュールを持たず、処理モジュール３４０は発光装置３００の外に位置される。
【００８３】
ここで図４Ａを参照すると、本発明の例示的実施例による発光装置を動作させる方法４００の模式的フロー図が示されている。発光装置は、各光源が予め定められた色範囲の光を放射するように構成されている複数の光源を有する。
【００８４】
ステップ４１０で、ターゲットの照明された領域を有する少なくとも一つの画像が捕捉され、各捕捉画像の画像表現が作られる。
【００８５】
ステップ４２０で、画像表現は、画像表現内の主要な色を決定するため処理される。
【００８６】
ステップ４３０で、ステップ４２０で決定された主要な色と、発光装置により放射された光の予め定められた色特性の基準とに基づいて、互いに相対的に複数の光源の強度に対する少なくとも一つの設定が生成される。少なくとも一つの設定は、少なくとも一つの設定が複数の光源に適用されるとき、発光装置により放射される光が、予め定められた色特性の基準と益々対応するか準拠さえするようになされる。
【００８７】
ステップ４４０で、ステップ４３０で生成された少なくとも一つの設定が、複数の光源に適用される。
【００８８】
オプションでは、ステップ４３０は、ステップ４２０で決定された主要な色が含まれる色範囲の光を放射する任意の光源の強度を一定で、及び／又はゼロとは異なるように保つという制約の下で、互いに相対的に複数の光源の強度の少なくとも一つの設定を生成するというステップ４３５を含む。
【００８９】
代わりに、又はオプションで、ステップ４３５は、複数の光源に適用されるとき、少なくとも一つの設定が、発光装置から放射される光がステップ４２０で決定された主要な色を呈する結果となるように、少なくとも一つの設定を生成するステップを有する。
【００９０】
ここで図４Ｂを参照すると、本発明の例示的実施例による発光装置を動作させる方法４００の模式的フロー図が示されている。発光装置は、各光源が予め定められた色範囲の光を放射するように構成されている複数の光源を有する。
【００９１】
ステップ４０５で、少なくとも一つの光検出器は、ターゲットの照明された領域で反射される光を受信する。
【００９２】
ステップ４１５で、少なくとも一つの光検出器により生成される信号は、ターゲットの照明された領域の主要な色を決定するように処理される。
【００９３】
ステップ４３０で、ステップ４１５で決定された主要な色と、発光装置により放射された光の予め定められた色の特性の基準とに基づいて、互いに相対的に複数の光源の強度に対する少なくとも一つの設定が生成される。少なくとも一つの設定が複数の光源に適用されるとき、少なくとも一つの設定は、発光装置により放射される光が予め定められた色特性の基準と益々対応するか準拠さえする。
【００９４】
ステップ４４０で、ステップ４３０で生成された少なくとも一つの設定は、複数の光源に適用される。
【００９５】
オプションでは、ステップ４３０は、ステップ４１５で決定された主要な色が含まれる色範囲の光を放射する複数の光源の何れの強度も一定で、及び／又はゼロと異なるように保持するという制約の下で、互いに相対的に複数の光源の強度の少なくとも一つの設定を生成するステップ４３５を有する。
【００９６】
代わりに、又はオプションで、ステップ４３５は、複数の光源に適用されるとき、少なくとも一つの設定が、発光装置から放射される光がステップ４１５で決定された主要な色を呈する結果となるように、少なくとも一つの設定を生成するステップを有する。
【００９７】
ここで図５を参照すると、本発明の他の例示的実施例による発光装置を動作させる方法４００の模式的フロー図が示される。発光装置は、各光源が予め定められた色範囲の光を放射するように構成されている複数の光源を有する。
【００９８】
ステップ５１０で、ターゲットの照明された領域及び所定形状を持つ対象物を有する少なくとも一つの画像が捕捉され、対象物は、対象物が画像の照明された領域に少なくとも部分的に重なるように、ターゲットの照明された領域と発光装置との間に配置される。ステップ５１０は、各捕捉画像の画像表現を作るステップを有する。
【００９９】
ステップ５２０で、対象物の所定形状は、少なくとも一つの格納された形状と比較される。
【０１００】
ステップ５３０で、対象物の所定形状が格納された形状に整合するという条件で、画像表現は、画像表現の対象物を縁どるターゲットの照明された領域の部分の色を決定するように処理される。
【０１０１】
ステップ５４０で、ステップ５３０で決定された色と発光装置により放射された光の予め定められた色の特性の基準とに基づいて、互いに相対的に複数の光源の強度の少なくとも一つの設定が生成される。少なくとも一つの設定は、少なくとも一つの設定が複数の光源に適用されるとき、発光装置により放射される光が予め定められた色特性の基準と益々対応するか準拠さえするようになされる。
【０１０２】
ステップ５５０で、ステップ５４０で生成された少なくとも一つの設定が、複数の光源に適用される。
【０１０３】
オプションでは、ステップ５４０は、ステップ５３０で決定された色が含まれる色範囲の光を放射する複数の光源の何れの強度も一定で、及び／又はゼロと異なるように保持するという制約の下で、互いに相対的に複数の光源の強度の少なくとも一つの設定を生成するステップ５４５を有する。
【０１０４】
代わりに、又は、オプションで、ステップ５４５は、少なくとも一つの設定が、複数の光源に適用されるとき、発光装置から放射される光がステップ５３０で決定された色を呈する結果となるように、少なくとも一つの設定を生成するステップを有する。
【０１０５】
ここで図６を参照すると、本発明の例示的実施例による照明器具６００の模式的ブロック図が示される。照明器具６００は、本発明の実施例による発光装置６１０を有する。
【０１０６】
ここで図７を参照すると、デジタル多用途ディスク（ＤＶＤ）７１０及びフロッピー（登録商標）ディスク７２０を有する、本発明の実施例によるコンピュータ可読の（デジタル）記憶媒体７００の種々異なるタイプの模式図が示される。ＤＶＤ７１０及びフロッピー（登録商標）ディスク７２０の各々に、プロセッサユニットで実行されるとき、前述されたような本発明又はその実施例による方法を実施するのに適しているコンピュータコードを有するコンピュータプログラムが格納されている。
【０１０７】
２つのタイプの異なるコンピュータ可読のデジタル記憶媒体だけが図７を参照して上述されたが、本発明は、限定はされないが、ハードディスク装置、コンパクトディスク、フラッシュメモリ、磁気テープ、ユニバーサルシリアルバススティック、Ｚｉｐドライブ等のような、他の適切なタイプのコンピュータ可読のデジタル記憶媒体を使用している実施例を含む。
【０１０８】
結局、発光装置及び発光装置を動作させるための方法が開示されている。発光装置の各々は、光源の各々が予め定められた色範囲の光を放射するように構成されている、ターゲットを照明するための複数の光源を有する。発光装置の各々は、発光装置により放射される光が予め定められたカラー特性の基準と益々対応するか準拠させするように、発光装置により照明されるターゲットの領域又はターゲットの色に基づいて発光装置により放射される光のスペクトルパワー分布を自動的に調整するための手段を有する。
【０１０９】
本発明の例示的な実施例がここで説明されてきたが、ここで説明されている本発明の多数の変形、修正又は変更がなされてもよいことは当業者にとって明らかである。よって、本発明の様々な実施例及び添付の図面の説明は、本発明の非限定的な例と考えられるべきであり、保護の範囲は、添付の請求の範囲により定められる。請求項内の参照符号は、何れも範囲を制限するものとして解釈されてはならない。
【図１Ａ】
2013513914.tif 000003
【図１Ｂ】
2013513914.tif 000004
【図２】
2013513914.tif 000005
【図３】
2013513914.tif 000006
【図４Ａ】
2013513914.tif 000007
【図４Ｂ】
2013513914.tif 000008
【図５】
2013513914.tif 000009
【図６】
2013513914.tif 000010
【図７】
2013513914.tif 000011
【国際調査報告】
2013513914.tif 000012
2013513914.tif 000013